(57)【要約】【課題】  本発明は、胸部、または腰部に保持して使用するデスクだが、収納、または、持ち運びの際には折りたたんで使用する際の約半分のサイズにすることができ、また、ストラップの長さを調節することで、自由に好みの角度で使用できるモバイルデスクに関するものである。【解決手段】  デスク状の机（台部分）（１）に折りたたみ可能部（２）を設け、デスク状の机（台部分）（１）の四隅の穴にストラップ結合部（５）を設け、ストラップ結合部（５）にストラップ（３）を設け、ストラップ（３）の途中にストラップの長さ調節部（４）を設けた事を特徴とする、どこでも使用でき、角度の調節も可能なモバイルデスク。【選択図】図１
2016112374.tif 000002
【特許請求の範囲】
【請求項１】
デスク状の机（台部分）（１）に折りたたみ可能部（２）を設け、デスク状の机（台部分）（１）の四隅の穴にストラップ結合部（５）を設け、ストラップ結合部（５）にストラップ（３）を設け、ストラップ（３）の途中にストラップの長さ調節部（４）を設け、ストラップ（３）を背面でクロスさせることで、角度の調節も自在となり、胸部、または、腰部に固定し、安定して保持できるようにしたコンパクトに収納、持ち運びができ、どこでも使用でき、角度の調節も可能なモバイルデスク。
【発明の詳細な説明】
【技術分野】
【０００１】  本発明は、胸部、または、腰部に保持して使用するデスクだが、収納、または、持ち運びの際には、折りたたんで使用する際の約半分のサイズにすることができる。
また、ストラップの長さを調節することで、自由に好みの角度で、どこでも使用でき、角度の調節も可能なモバイルデスクに関するものである。
【背景技術】
【０００２】  従来、携帯可能なデスクには、折りたたんで収納できるものがなく、また、ベッドやソファなどに座って使用するタイプがあった。
これらのデスクは、立ったままの状態では使用することができなかった。
このデスクは、立ったまま使用でき、また、座って使用する際にも、ストラップの長さを調節することで自分の好きな角度に調節することができる。
また、学生が使用する画板は存在したが、収納性の高いものは存在せず、携帯して上記の用途に使用されることもなかった。
【先行技術文献】
【特許文献】
【０００３】
【特許文献１】  特開２０１２−１１３３５７号公報
【特許文献２】  特開２００４−３４８４４０号公報
【特許文献３】  特開平８−１９１７３８号公報
【特許文献４】  特開２００６−６１７８７号公報
【発明の概要】
【発明が解決しようとする課題】
【０００４】  従来、折りたたむことのできないノートパソコンの保持具があった。
また、ストラップにて２カ所で保持するキーボードがあった。
また、作業面の角度を調節できるテーブルがあった。
また、蝶番を使用して折りたたんで収納できる画板があった。
それらのものには、次のような問題点があった。
（イ）立ったまま使用できるデスクがなかったため、パソコン、タブレット、スマートホンなどを直接保持するしか方法がなく、腕が疲労する問題があった。
（ロ）折りたたみ式の画板はあったが、デスクとして使用できるものがなかったことで、画板をノートパソコンなどの保持具として使用するケースはなかった。
（ハ）２カ所で保持するキーボードは、デスクではなく、デスクとして使用するには安定度が不足していた。
（ニ）折りたためる画板は、タブレットやスマートホンをハンズフリーで使用するには大型すぎ、弁当などを載せて使用するにも見た目が適さなかった。
（ホ）角度が調節できるデスクはあったが、立ったまま使用することができなかった。
本発明は、これらの問題点を解決するためになされたものである。
【課題を解決するための手段】
【００００５】  デスク状の机（台部分）（１）に折りたたみ可能部（２）を設け、デスク状の机（台部分）（１）の四隅の穴にストラップ結合部（５）を設け、ストラップ結合部（５）にストラップ（３）を設け、ストラップ（３）の途中にストラップの長さ調節部（４）を設け、ストラップ（３）を背面でクロスさせることで、角度の調節も自在となり、胸部、または、腰部に固定し、安定して保持できるようにしたコンパクトに収納、持ち運びができ、どこでも使用でき、角度の調節も可能なモバイルデスク。
【発明の効果】
【０００６】（イ）立ったまま使用できるように、本体の四隅にストラップを取り付け、胸部、または、腰部に固定した状態で使用でき、ノートパソコンやタブレットを直接保持しなくてもよく、そのため腕の疲労を軽減できるようにした。
（ロ）机（台部分）に折りたたみ構造を採用することで、収納にも便利であり、使用する際には本体を開いて、ストラップを肩にかけるだけで簡便に使用することが出来るようにした。
（ハ）本体の四隅にストラップをかけることで、また、背中でクロスさせて装着することで、安定した状態で長時間使用できるようにした。
（ニ）画板ではなく、あくまでも机（台部分）であり、Ａ４サイズやＢ５サイズなど、本人の好みの大きさのものを選択することで、食事に使用する際も画板を保持しているような不自然さがなくなるようにした。
（ホ）ストラップの長さ調節だけで、角度の調節が可能となり、立ったまま、または、座った状態でも好きな角度でノートパソコン、読書、食事などの作業が可能となった。
蝶番、または、強度の高い粘着テープや、折りたたんでも切れにくい表面素材を採用することにより、折りたためる構造にすることで、コンパクトさと軽量であることを実現し、使用者の腕の疲労を軽減し、屋外でのノートパソコンと携帯電話の同時使用などが可能となり、また、ストラップを一体化した本体にすることで、角度も思いのままに調節できるものとして考えたものである。
【図面の簡単な説明】
【０００７】
【図１】  本発明の正面図である。
【図２】  本発明の収納状態を示した説明図である。
【発明を実施するための形態】
【０００８】  以下、本発明の実施の形態について説明する。
デスク状の机（台部分）（１）に折りたたみ可能部（２）を設け、デスク状の机（台部分）（１）の四隅の穴にストラップ結合部（５）を設け、ストラップ結合部（５）にストラップ（３）を設け、ストラップ（３）の途中にストラップの長さ調節部（４）を設ける。
本体は、机（台部分）（１）においては中央、または、中央を基点に本体を４等分する位置の中央以外の２箇所に蝶番または粘着テープ等を取り付けるか、本体を開閉しても切れにくい皮革などの表面素材を使用し、机（台部分）（１）の四隅にはストラップを連結できる手段を設ける。
パソコンを使用するユーザーと、タブレットを使用するユーザーでは必要とする机（台部分）（１）の面積が違うことから、大きさについては特に限定しない。
ストラップ（３）の長さについても、長さ調節ができるものであれば、長さは限定しない。
次に、この発明の使い方を説明する。
収納時には、ストラップ（３）は、机（台部分（１）に巻きつけて収納し、使用時には、巻きつけてあるストラップ（３）を解き、本体を、折りたたみ可能部（２）を基点に開く。
ストラップを背中でクロスさせるように被り、肩にかけて長さを調節する。
机（台部分）（１）にノートパソコン等を設置し、立ったまま、または、シートやベッドなどに座って使用する。
【符号の説明】
【０００９】１  机（台部分）
２  折りたたみ可能部
３  ストラップ
４  ストラップの長さ調節部
５  ストラップ結合部
６  机（台部分の端部）
【図１】
2016112374.tif 000003
【図２】
2016112374.tif 000004